(57)【特許請求の範囲】
【請求項１】
打球面および該打球面とは反対側の後面を含むアイアンタイプゴルフクラブヘッドボディ、
該ゴルフクラブヘッドボディの重心位置を指示するインジケータ、および
周囲ウェイト付け部材
を含む、ゴルフクラブヘッドであって、
該ゴルフクラブヘッドが、該インジケータが該周囲ウェイト付け部材と位置付けされたときに、該インジケータが該ゴルフクラブヘッドボディの重心位置を指示するように構成され、
該周囲ウェイト付け部材が、打球面から後方に、該ゴルフクラブヘッドボディの周辺区域の少なくとも一部分に沿って延び、該インジケータが該周囲ウェイト付け部材に取り付けられ、
該インジケータが、該周囲ウェイト付け部材から吊られ、該ゴルフクラブヘッドボディのキャビティの中に、該ゴルフクラブヘッドボディのフェースの後面から隔たって且つ離して配置されている、
ゴルフクラブヘッド。
【請求項２】
インジケータが周囲ウェイト付け部材の一部として形成されている、請求項１記載のゴルフクラブヘッド。
【請求項３】
インジケータがクラブヘッドボディの重心位置を指す、請求項１記載のゴルフクラブヘッド。
【請求項４】
インジケータが、クラブヘッドボディの重心位置よりすぐ上の位置を指す、請求項１記載のゴルフクラブヘッド。
【請求項５】
インジケータが三角形または矢の形状を有する、請求項１記載のゴルフクラブヘッド。
【請求項６】
インジケータが、周囲ウェイト付け部材の材料よりも重い材料を含む、請求項１記載のゴルフクラブヘッド。
【請求項７】
インジケータが、少なくとも、ゴルフクラブヘッドボディの後方部分中のキャビティを第一の方向に横切って延びる第一のインジケータ部分ブリッジ部材、および該ゴルフクラブヘッドボディの該後方部分中の該キャビティを第二の方向に横切って延びる第二のインジケータ部分ブリッジ部材を含み、
該第一のインジケータ部分および該第二のインジケータ部分が交差し、それらの交差する点がクラブヘッドボディの重心位置を指示する、
請求項１記載のゴルフクラブヘッド。
【請求項８】
第一のインジケータ部分ブリッジ部材および第二のインジケータ部分ブリッジ部材が互いに接触しない、請求項７記載のゴルフクラブヘッド。
【請求項９】
第一のインジケータ部分ブリッジ部材がゴルフクラブヘッドボディのクラウンから該ゴルフクラブヘッドボディのソールまで延び、第二のインジケータ部分ブリッジ部材が該ゴルフクラブヘッドボディのほぼヒール−トウ方向に延びる、請求項７記載のゴルフクラブヘッド。
【請求項１０】
第一のインジケータ部分ブリッジ部材および第二のインジケータ部分ブリッジ部材がいずれも周囲ウェイト付け部材の材料よりも重い材料を含む、請求項７記載のゴルフクラブヘッド。
【請求項１１】
ゴルフクラブヘッドボディ、インジケータ、および周囲ウェイト付け部材を有する少なくとも二本のアイアンタイプゴルフクラブを含み、
該ゴルフクラブヘッドボディそれぞれが、異なる重心を有し、かつ、該ゴルフクラブが、該インジケータが該周囲ウェイト付け部材と位置付けされたときに、該インジケータの各々がそれぞれのゴルフクラブヘッドボディの特定の重心を指示するように構成され、
該周囲ウェイト付け部材の各々が、打球面から後方に、該ゴルフクラブヘッドボディの周辺区域の少なくとも一部分に沿って延び、該インジケータが該周囲ウェイト付け部材に取り付けられ、
該インジケータの各々が、該周囲ウェイト付け部材から吊られ、該ゴルフクラブヘッドボディのキャビティの中に、該ゴルフクラブヘッドボディのフェースの後面から隔たって且つ離して配置されている、
アイアンタイプゴルフクラブのセット。
【請求項１２】
クラブヘッドボディのセットに対して低いロフト度を有するクラブヘッドボディが、該クラブヘッドボディのトウよりも該クラブヘッドボディのホーゼルに近い重心を有する、請求項１１記載のアイアンタイプゴルフクラブのセット。
【請求項１３】
クラブヘッドボディのセットに対して高いロフト度を有するクラブヘッドボディが、該クラブヘッドボディのヒールよりも該クラブヘッドボディのトウに近い重心を有する、請求項１２記載のアイアンタイプゴルフクラブのセット。
【請求項１４】
クラブヘッドボディのセットに対して低いロフト度を有するクラブヘッドボディが、該クラブヘッドボディの下寄りヒールに重心を有する、請求項１３記載のアイアンタイプゴルフクラブのセット。
【請求項１５】
クラブヘッドボディのセットに対して高いロフト度を有するクラブヘッドボディが、該クラブヘッドボディの上寄りトウに重心を有する、請求項１４記載のアイアンタイプゴルフクラブのセット。
【請求項１６】
インジケータが、クラブヘッドボディの周辺から該クラブヘッドボディの中心の方向に延び、該インジケータの位置が、ゴルフクラブのセット全体にわたって該クラブヘッドボディの周辺を回って連続的に移動する、請求項１１記載のアイアンタイプゴルフクラブのセット。
【請求項１７】
インジケータの位置が、クラブヘッドボディのセットに対して低いロフト度を有するアイアンの場合の下寄りヒールにより近い位置から、該クラブヘッドボディのセットに対して高いロフト度を有するアイアンの場合の上寄りトウにより近い位置まで、該クラブヘッドボディの周辺を回って連続的に移動する、請求項１６記載のアイアンタイプゴルフクラブのセット。
【請求項１８】
インジケータが、交差する第一のインジケータ部分および第二のインジケータ部分を含み、
該第一および第二のインジケータの交差する点が、クラブヘッドボディの重心位置を指示する、請求項１１記載のアイアンタイプゴルフクラブのセット。
【請求項１９】
第一および第二のインジケータの交差する点が、クラブヘッドボディのセットに対して低いロフト度を有するアイアンの場合の下寄りヒールにより近い位置から、該クラブヘッドボディのセットに対して高いロフト度を有するアイアンの場合の上寄りトウにより近い位置まで、ゴルフクラブのセット全体にわたって連続的に移動する、請求項１８記載のアイアンタイプゴルフクラブのセット。
【請求項２０】
第一のインジケータが、クラブヘッドボディのセットに対して低いロフト度を有するアイアンの場合のヒールにより近い位置から、該クラブヘッドボディのセットに対して高いロフト度を有するアイアンの場合のトウにより近い位置まで、ゴルフクラブのセット全体にわたって連続的に移動する、請求項１９記載のアイアンタイプゴルフクラブのセット。
【請求項２１】
アイアンタイプゴルフクラブのセット中の複数のクラブヘッドボディそれぞれの重心を選択的に配置する方法であって、
各ゴルフクラブに関して、ゴルフクラブヘッドボディの重心位置を指示するインジケータおよび周囲ウェイト付け部材を該セット中のクラブヘッドボディ中に提供する工程であって、該周囲ウェイト付け部材が、打球面から後方に、該ゴルフクラブヘッドボディの周辺区域の少なくとも一部分に沿って延び、該インジケータが該周囲ウェイト付け部材に取り付けられ、該インジケータが該周囲ウェイト付け部材から吊られ、該ゴルフクラブヘッドボディのキャビティの中に、該ゴルフクラブヘッドボディのフェースの後面から隔たって且つ離して配置されている、工程；
各クラブヘッドボディのインジケータを、他のクラブヘッドボディの他のインジケータに対して異なる位置に配置する工程
を含み、
該クラブヘッドボディそれぞれが異なる重心を有し、該インジケータが該周囲ウェイト付け部材と位置付けされたときに、特定のゴルフクラブヘッドのインジケータがそれぞれの重心位置を指示する、方法。
【請求項２２】
請求項２１記載のアイアンタイプゴルフクラブのセット中の複数のクラブヘッドボディそれぞれの重心を選択的に配置する方法であって、
インジケータが、周囲ウェイト付け部材の材料よりも重い材料を含む、方法。
【請求項２３】
請求項２１記載のアイアンタイプゴルフクラブのセット中の複数のクラブヘッドボディそれぞれの重心を選択的に配置する方法であって、
クラブヘッドボディのセットに対して低いロフト度を有するクラブヘッドボディに、該クラブヘッドボディのトウよりも該クラブヘッドボディのホーゼルにより近い重心を提供するようにインジケータを選択的に配置する工程をさらに含む、方法。
【請求項２４】
請求項２１記載のアイアンタイプゴルフクラブのセット中の複数のクラブヘッドボディそれぞれの重心を選択的に配置する方法であって、
クラブヘッドボディのセットに対して高いロフト度を有するクラブヘッドボディに、該クラブヘッドボディのヒールよりも該クラブヘッドボディのトウにより近い重心を提供するようにインジケータを選択的に配置する工程をさらに含む、方法。
【請求項２５】
請求項２１記載のアイアンタイプゴルフクラブのセット中の複数のクラブヘッドボディそれぞれの重心を選択的に配置する方法であって、
クラブヘッドボディのセットに対して低いロフト度を有するアイアンの場合の下寄りヒールにより近い位置から、該クラブヘッドボディのセットに対して高いロフト度を有するアイアンの場合の上寄りトウにより近い位置まで、該ゴルフクラブヘッドボディの重心をゴルフクラブのセット全体にわたって連続的に移動させるようにインジケータを選択的に配置する工程をさらに含む、方法。
【請求項２６】
打球面および該打球面とは反対側の後面を含むアイアンタイプゴルフクラブヘッドボディ；ならびに
ゴルフクラブヘッドボディの重心位置を指示する第一のブリッジ部材および第二のブリッジ部材
を含むゴルフクラブヘッドであって、
該第一のブリッジ部材が、該ゴルフクラブヘッドボディの後方部分中のキャビティを第一の方向に横切って延び、該第二のブリッジ部材が、該ゴルフクラブヘッドボディの該後方部分中の該キャビティを第二の方向に横切って延び、該第一のブリッジ部材および該第二のブリッジ部材が交差し、それらの交差する点がクラブヘッドボディの重心位置を指示し、さらに、該第一のブリッジ部材および該第二のブリッジ部材が互いに接触しない、ゴルフクラブヘッド。
【発明の詳細な説明】
【技術分野】
【０００１】
開示の分野
本開示はゴルフクラブおよびゴルフクラブヘッドに関する。本開示の特定の例示的局面は、ゴルフクラブヘッドの特定の領域を指示するためのインジケータを有するゴルフクラブおよびゴルフクラブヘッドに関する。
【背景技術】
【０００２】
背景
ゴルフは、多種多様なプレーヤ―異なる性別ならびに劇的に異なる年齢および／または熟練度レベルのプレーヤによって楽しまれている。ゴルフは、そのような多様なプレーヤの集まりがゴルフイベントで互いに直接競いながらいっしょにプレーし（たとえば、ハンデ付きのスコア、異なるティーボックスを使用して、チームフォーマットで、など）、なおもゴルフのラウンドまたは競技を楽しむことができるという点で、スポーツの世界ではいくぶんユニークである。これらの要因が、テレビにおけるゴルフ番組（たとえばゴルフトーナメント、ゴルフニュース、ゴルフ史および／または他のゴルフ番組）の増加および著名なゴルフスーパースターの出現と相まって、少なくとも部分的に、近年、米国および世界中でのゴルフ人気を高めた。
【０００３】
ゴルファーは、すべての熟練度レベルにおいて、パフォーマンスを改善し、ゴルフスコアを良くし、その次のパフォーマンス「レベル」に到達しようとする。すべてのタイプのゴルフ用具の製造者はこれらの要求に応え、近年、業界は、ゴルフ用具における劇的な変化および改良を目撃した。たとえば、今や、広い範囲の異なるゴルフボールモデルが利用可能であり、ボールは、特定のスイング速度および／または他のプレーヤ特性もしくは好みを補うように設計されており、たとえば、一部のボールは、より遠くおよび／またはよりまっすぐに飛ぶように設計されており、一部のボールは、より高いまたはよりフラットな弾道を提供するように設計されており、一部のボールは、より多くのスピン、コントロールおよび／または感触（特にグリーン周りの）を提供するように設計されており、一部のボールは、より速いまたはより遅いスイング速度のために設計されている、などである。また、ゴルフのスコアを良くするのに役立つことを約束する数多くのスイング補助具および／または補助教具が市販されている。
【０００４】
プレー中にゴルフボールを動かす唯一の道具であることから、ゴルフクラブもまた、近年、多大な技術的研究および進歩の対象であった。たとえば、市場は、近年、パター設計、ゴルフクラブヘッド設計、シャフトおよびグリップにおける劇的な変化および改良を見てきた。さらには、ゴルフクラブの様々な要素および／または特性ならびにゴルフボールの特性を特定のユーザのスイング特徴または特性により良く適合させようとして、他の技術的進歩が達成されてきた（たとえばクラブフィッティング技術、ボール打ち出し角計測技術、ボールスピン速度など）。
【０００５】
近年、この業界は、ゴルフ用具に対する劇的な変化および改良を目撃してきたが、当技術分野において、ゴルフクラブ技術におけるさらなる進歩の余地がある。
【発明の概要】
【０００６】
開示の概要
以下、本開示およびその様々な局面の基本的理解を提供するために、本開示の局面の概要を提示する。この概要は、本開示の範囲を何らかの方法で限定することを意図したものではなく、単に、以下のより詳細な説明のための概観および背景を提供する。
【０００７】
本開示の少なくともいくつかの例示的局面のゴルフクラブヘッドは、打球面および打球面とは反対側の後面（たとえば、打球面から後方に、ゴルフクラブヘッドボディの周辺区域の少なくとも一部分に沿って延びる周囲ウェイト付け部材を含む）を有するアイアンタイプゴルフクラブヘッドボディを含む。また、ゴルフクラブヘッドボディはインジケータを含み得る。さらには、本開示の少なくともいくつかの例にしたがって、インジケータは、ゴルフクラブヘッドの正確な重心位置を指示し得る。
【０００８】
本開示の少なくともいくつかの例のゴルフクラブヘッドのセットは、特定のクラブヘッドボディに依存して変化する重心を有するクラブヘッドボディを含み得る。このようなゴルフクラブヘッドボディにおいて、インジケータは、それぞれのクラブヘッドボディの重心位置を指示するように配置され得る。
【０００９】
本開示のいくつかの局面にしたがって、インジケータの配置を使用して、クラブヘッドボディの重心を変化させることができる。たとえば、インジケータのウェイト付け特性（ウェイト、密度など）により、クラブヘッドボディに対するインジケータの位置がゴルフクラブヘッドボディのウェイトを配分し直し、それにより、クラブヘッドボディの重心を移動させる。したがって、インジケータは、クラブヘッドの重心の特徴を制御するために選択的に配置されることができる。
【００１０】
本開示のさらなる局面は、たとえば上記タイプのゴルフクラブヘッドを含むゴルフクラブ構造に関する。このようなゴルフクラブ構造はさらに、クラブヘッドに取り付けられた（場合によっては、別個のホーゼル部材またはクラブヘッドもしくはシャフトの一つまたは複数の一体部分として提供されたホーゼル部材を介して）シャフト部材、シャフト部材に取り付けられたグリップまたはハンドル部材、さらなるウェイト部材などの一つまたは複数を含み得る。
【００１１】
本開示のなおさらなる局面は、たとえば上記タイプのゴルフクラブヘッドおよびゴルフクラブ構造を製造する方法に関する。このような方法は、たとえば、（a）上記様々なタイプのゴルフクラブヘッドを、たとえばゴルフクラブヘッドボディを製造または他のやり方で構築すること、ゴルフクラブヘッドボディを別の供給源から得ることなどによって提供する工程、および（b）シャフト部材をゴルフクラブヘッドと係合させる工程を含み得る。また、グリップ部材をシャフト部材と係合させる工程、クラブヘッドボディ仕上げ工程などの他の工程をこれらの方法に含めることもできる。
[本発明1001]
打球面および該打球面とは反対側の後面を含むアイアンタイプゴルフクラブヘッドボディ、
該ゴルフクラブヘッドボディの重心位置を指示するインジケータ
を含む、ゴルフクラブヘッド。
[本発明1002]
打球面から後方に、ゴルフクラブヘッドボディの周辺区域の少なくとも一部分に沿って延びる周囲ウェイト付け部材をさらに含み、
インジケータが該周囲ウェイト付け部材に取り付けられている、本発明1001のゴルフクラブヘッド。
[本発明1003]
インジケータが周囲ウェイト付け部材の一部として形成されている、本発明1001のゴルフクラブヘッド。
[本発明1004]
インジケータが周囲ウェイト付け部材からゴルフクラブヘッドボディの後方部分中のキャビティの中に延びる、本発明1002のゴルフクラブヘッド。
[本発明1005]
インジケータが周囲ウェイト付け部材から吊られ、ゴルフクラブヘッドボディのキャビティの中に、該ゴルフクラブヘッドボディのフェースの後面から隔たってかつ離して配置されている、本発明1002のゴルフクラブヘッド。
[本発明1006]
インジケータがクラブヘッドボディの重心位置を指す、本発明1004のゴルフクラブヘッド。
[本発明1007]
インジケータが、クラブヘッドボディの重心位置よりすぐ上の位置を指す、本発明1004のゴルフクラブヘッド。
[本発明1008]
インジケータが三角形または矢の形状を有する、本発明1004のゴルフクラブヘッド。
[本発明1009]
インジケータが、周囲ウェイト付け部材の材料よりも重い材料を含む、本発明1004のゴルフクラブヘッド。
[本発明1010]
インジケータが、少なくとも、ゴルフクラブヘッドボディの後方部分中のキャビティを第一の方向に横切って延びる第一のインジケータ部分ブリッジ部材、および該ゴルフクラブヘッドボディの該後方部分中の該キャビティを第二の方向に横切って延びる第二のインジケータ部分ブリッジ部材を含む、本発明1002のゴルフクラブヘッド。
[本発明1011]
第一のインジケータ部分および第二のインジケータ部分が交差し、それらの交差する点がクラブヘッドボディの重心位置を指示する、本発明1010のゴルフクラブヘッド。
[本発明1012]
第一のインジケータ部分および第二のインジケータ部分が互いに接触しない、本発明1010のゴルフクラブヘッド。
[本発明1013]
第一のインジケータ部分がゴルフクラブヘッドボディのクラウンから該ゴルフクラブヘッドボディのソールまで延び、第二のインジケータ部分が該ゴルフクラブヘッドボディのほぼヒール−トウ方向に延びる、本発明1010のゴルフクラブヘッド。
[本発明1014]
第一のインジケータ部分および第二のインジケータ部分がいずれも周囲ウェイト付け部材の材料よりも重い材料を含む、本発明1011のゴルフクラブヘッド。
[本発明1015]
インジケータが、ゴルフクラブヘッドボディの後部中のキャビティの上に配置されたメダルであり、該メダルの内部に開口を含む、本発明1002のゴルフクラブヘッド。
[本発明1016]
インジケータが、
ゴルフクラブヘッドボディの後部中のキャビティの上に配置され、かつ該クラブヘッドボディの重心位置を指示するインジケータ部分の間に開口を提供するように配置された、少なくとも二つのインジケータ部分
を含む、本発明1015のゴルフクラブヘッド。
[本発明1017]
少なくとも二つのインジケータ部分が三つのインジケータ部分を含む、本発明1016のゴルフクラブヘッド。
[本発明1018]
インジケータ部分が互いに接触する、本発明1016のゴルフクラブヘッド。
[本発明1019]
クラブヘッドボディの後面がインジケータ部分とは異なる色である、本発明1015のゴルフクラブヘッド。
[本発明1020]
インジケータ部分が、周囲ウェイト付け部材の材料よりも重い材料を含む、本発明1016のゴルフクラブヘッド。
[本発明1021]
インジケータ部分の少なくとも一つが他のインジケータ部分とは異なる重量を有する、本発明1020のゴルフクラブヘッド。
[本発明1022]
ゴルフクラブヘッドボディを有する少なくとも二本のアイアンタイプゴルフクラブを含み、
該ゴルフクラブヘッドボディそれぞれが、異なる重心とそれぞれのゴルフクラブヘッドボディの特定の重心を指示するインジケータとを有する、アイアンタイプゴルフクラブのセット。
[本発明1023]
クラブヘッドボディのセットに対して低いロフト度を有するクラブヘッドボディが、該クラブヘッドボディのトウよりも該クラブヘッドボディのホーゼルに近い重心を有する、本発明1022のアイアンタイプゴルフクラブのセット。
[本発明1024]
クラブヘッドボディのセットに対して高いロフト度を有するクラブヘッドボディが、該クラブヘッドボディのヒールよりも該クラブヘッドボディのトウに近い重心を有する、本発明1023のアイアンタイプゴルフクラブのセット。
[本発明1025]
クラブヘッドボディのセットに対して低いロフト度を有するクラブヘッドボディが、該クラブヘッドボディの下寄りヒールに重心を有する、本発明1024のアイアンタイプゴルフクラブのセット。
[本発明1026]
クラブヘッドボディのセットに対して高いロフト度を有するクラブヘッドボディが、該クラブヘッドボディの上寄りトウに重心を有する、本発明1025のアイアンタイプゴルフクラブのセット。
[本発明1027]
インジケータが、クラブヘッドボディの周辺から該クラブヘッドボディの中心の方向に延び、該インジケータの位置が、ゴルフクラブのセット全体にわたって該クラブヘッドボディの周辺を回って連続的に移動する、本発明1022のアイアンタイプゴルフクラブのセット。
[本発明1028]
インジケータの位置が、クラブヘッドボディのセットに対して低いロフト度を有するアイアンの場合の下寄りヒールにより近い位置から、該クラブヘッドボディのセットに対して高いロフト度を有するアイアンの場合の上寄りトウにより近い位置まで、該クラブヘッドボディの周辺を回って連続的に移動する、本発明1027のアイアンタイプゴルフクラブのセット。
[本発明1029]
インジケータが、交差する第一のインジケータ部分および第二のインジケータ部分を含み、
該第一および第二のインジケータの交差する点が、クラブヘッドボディの重心位置を指示する、本発明1022のアイアンタイプゴルフクラブのセット。
[本発明1030]
第一および第二のインジケータの交差する点が、クラブヘッドボディのセットに対して低いロフト度を有するアイアンの場合の下寄りヒールにより近い位置から、該クラブヘッドボディのセットに対して高いロフト度を有するアイアンの場合の上寄りトウにより近い位置まで、ゴルフクラブのセット全体にわたって連続的に移動する、本発明1029のアイアンタイプゴルフクラブのセット。
[本発明1031]
第一のインジケータが、クラブヘッドボディのセットに対して低いロフト度を有するアイアンの場合のヒールにより近い位置から、該クラブヘッドボディのセットに対して高いロフト度を有するアイアンの場合のトウにより近い位置まで、ゴルフクラブのセット全体にわたって連続的に移動する、本発明1030のアイアンタイプゴルフクラブのセット。
[本発明1032]
インジケータが、ゴルフクラブヘッドボディの後部中のキャビティの上に配置されたメダルであり、該メダルの内部に開口を含む、本発明1022のアイアンタイプゴルフクラブのセット。
[本発明1033]
開口が、クラブヘッドボディのセットに対して低いロフト度を有するアイアンの場合の下寄りヒールにより近い位置から、該クラブヘッドボディのセットに対して高いロフト度を有するアイアンの場合の上寄りトウにより近い位置まで、ゴルフクラブのセット全体にわたって連続的に移動する、本発明1032のアイアンタイプゴルフクラブのセット。
[本発明1034]
インジケータが、ゴルフクラブヘッドボディの後部中の、インジケータ部分の間の開口中に提供されたキャビティの上に配置された少なくとも三つのインジケータ部分を含み、
該少なくとも三つのインジケータ部分が、ゴルフクラブのセット全体にわたって該開口を連続的に移動させるために、ゴルフクラブのセット全体にわたってサイズが異なる、本発明1033のアイアンタイプゴルフクラブのセット。
[本発明1035]
インジケータが、周囲ウェイト付け部材の材料よりも重い材料を含む、本発明1032のアイアンタイプゴルフクラブのセット。
[本発明1036]
アイアンタイプゴルフクラブのセット中の複数のクラブヘッドボディそれぞれの重心を選択的に配置する方法であって、
各ゴルフクラブに関してゴルフクラブヘッドボディの重心位置を指示するインジケータを該セット中のクラブヘッドボディ中に提供する工程、
各クラブヘッドボディのインジケータを、他のクラブヘッドボディの他のインジケータに対して異なる位置に配置する工程
を含み、
該クラブヘッドボディそれぞれが異なる重心を有し、特定のゴルフクラブヘッドのインジケータがそれぞれの重心位置を指示する、方法。
[本発明1037]
本発明1036のアイアンタイプゴルフクラブのセット中の複数のクラブヘッドボディそれぞれの重心を選択的に配置する方法であって、
インジケータが、周囲ウェイト付け部材の材料よりも重い材料を含む、方法。
[本発明1038]
本発明1036のアイアンタイプゴルフクラブのセット中の複数のクラブヘッドボディそれぞれの重心を選択的に配置する方法であって、
クラブヘッドボディのセットに対して低いロフト度を有するクラブヘッドボディに、該クラブヘッドボディのトウよりも該クラブヘッドボディのホーゼルにより近い重心を提供するようにインジケータを選択的に配置する工程をさらに含む、方法。
[本発明1039]
本発明1036のアイアンタイプゴルフクラブのセット中の複数のクラブヘッドボディそれぞれの重心を選択的に配置する方法であって、
クラブヘッドボディのセットに対して高いロフト度を有するクラブヘッドボディに、該クラブヘッドボディのヒールよりも該クラブヘッドボディのトウにより近い重心を提供するようにインジケータを選択的に配置する工程をさらに含む、方法。
[本発明1040]
本発明1036のアイアンタイプゴルフクラブのセット中の複数のクラブヘッドボディそれぞれの重心を選択的に配置する方法であって、
クラブヘッドボディのセットに対して低いロフト度を有するアイアンの場合の下寄りヒールにより近い位置から、該クラブヘッドボディのセットに対して高いロフト度を有するアイアンの場合の上寄りトウにより近い位置まで、該ゴルフクラブヘッドボディの重心をゴルフクラブのセット全体にわたって連続的に移動させるようにインジケータを選択的に配置する工程をさらに含む、方法。
[本発明1041]
打球面および該打球面とは反対側の後面を含むアイアンタイプゴルフクラブヘッドボディ、
該ゴルフクラブヘッドボディの後方部分中のキャビティを第一の方向に横切って延びる第一のブリッジ部材、ならびに
該ゴルフクラブヘッドボディの該後方部分中の該キャビティを第二の方向に横切って延びる第二のインジケータ部分ブリッジ部材
を含み、
該第一のブリッジ部材および該第二のブリッジ部材が交差し、
さらに、該第一のブリッジ部材および該第二のブリッジ部材が互いに接触しない、ゴルフクラブヘッド。
【図面の簡単な説明】
【００１２】
本開示は、添付図面において例として説明されるが、それらに限定されない。全図を通じて同じ参照番号が同種の要素を示す。
【００１３】
【図１】本開示の少なくともいくつかの例のゴルフクラブ構造の特徴を大まかに示す。
【図２Ａ】本開示の少なくともいくつかの例のゴルフクラブヘッド構造を示す。
【図２Ｂ】本開示の少なくともいくつかの例のゴルフクラブヘッド構造を示す。
【図２Ｃ】本開示の少なくともいくつかの例のゴルフクラブヘッド構造を示す。
【図２Ｄ】本開示の例のゴルフクラブのセットにおけるクラブヘッドボディの周辺のインジケータ位置の漸変を概略的に示す。
【図２Ｅ】本開示の少なくともいくつかの例のゴルフクラブヘッド構造の断面図を示す。
【図３Ａ】本開示の少なくともいくつかの例のゴルフクラブヘッド構造を示す。
【図３Ｂ】本開示の少なくともいくつかの例のゴルフクラブヘッド構造を示す。
【図３Ｃ】本開示の少なくともいくつかの例のゴルフクラブヘッド構造を示す。
【図３Ｄ】本開示の少なくともいくつかの例のゴルフクラブヘッド構造の断面図を示す。
【図４】図4A〜Cは本開示の少なくともいくつかの例のゴルフクラブヘッド構造を示す。
【００１４】
読者は、これらの図面に示される様々なパーツが必ずしも原寸に比例して描かれてはいないことに留意されたい。
【発明を実施するための形態】
【００１５】
詳細な説明
以下の詳細な説明および添付図面が本開示の例のゴルフクラブヘッドおよびゴルフクラブの特徴を開示する。
【００１６】
I. 本開示の例示的ゴルフクラブヘッド、ゴルフクラブおよび方法の概説
上記のように、本開示の局面はアイアンタイプゴルフクラブヘッドおよびゴルフクラブに関する。本開示の少なくともいくつかの例示的局面のアイアンタイプゴルフクラブヘッドは、（a）アイアンタイプゴルフクラブヘッドボディ、（b）打球面、（c）場合によっては、打球面から後方に、ゴルフクラブヘッドボディの周辺区域の少なくとも一部分に沿って延びる周囲ウェイト付け部材を含む、打球面とは反対側の後面、および（d）インジケータを含み得る。
【００１７】
本開示の局面にしたがって、インジケータは、ゴルフクラブヘッドボディの重心位置を指示し得る。したがって、本開示のそのような局面に従い、各ゴルフクラブヘッドボディが異なる重心を有するゴルフクラブのセットにおいて、各ゴルフクラブヘッドボディのインジケータは、セット中の各特定のゴルフクラブヘッドボディの異なる重心位置を反映するために、異なるもの（たとえば形状が異なるもの）である、および／または異なるふうに配置されてもよい。たとえば、ピッチングウェッジのゴルフクラブヘッドボディの重心は5番アイアンのゴルフクラブヘッドボディの重心とは異なってもよいため、ピッチングウェッジのインジケータは、5番アイアン上のインジケータによって指示される位置とは異なる位置を指示する。
【００１８】
本開示の局面にしたがって、インジケータそのもの（またはインジケータを構成するインジケータ部分）が、ゴルフクラブヘッドボディの重心位置に影響し得る。たとえば、インジケータの重量がゴルフクラブヘッドボディの重心位置に影響し得る。さらには、インジケータは、クラブヘッドボディの残り部分に対して異なる重量、異なる密度、異なる重量配分および／または異なる他のウェイト付け特性を有してもよい。したがって、本開示のそのような局面に従い、インジケータは、それがクラブヘッドボディの重心を変化させるように配置されてもよい。換言するならば、ゴルフクラブヘッドボディの特定の重心を提供するために、クラブヘッドボディに対するインジケータの配置を制御することができる。以下に記載するように、ゴルフクラブヘッドボディの特定の重心を提供することは有利であることができる。
【００１９】
本開示のいくつかの局面にしたがって、インジケータは、「ロング」アイアンタイプゴルフクラブ（すなわち、比較的低いロフト度を有するアイアン、たとえば3番アイアン）に配置されて、クラブヘッドボディのヒールにより近い（すなわちホーゼルに近い）ゴルフクラブヘッドボディの重心を提供し得る。そのような構成は、ホーゼルからゴルフクラブヘッドボディの重心までの距離を減らす。重心がホーゼルにより近いため、ゴルファーは、ゴルフクラブヘッドボディをより速く、より容易に回転させることができる（たとえば、開いたクラブフェース位置から閉じたクラブフェース位置まで）。したがって、そのような構成は、ゴルファーがゴルフボールに「ドロー」弾道を付与するのを支援することができる。「ドロー」とは、ボールが打たれた側とは反対の方向にボールをカーブさせるゴルフショットである。たとえば、右利きのゴルファーの場合、ゴルフボールは「右から左」の弾道を示す。「ドロー」の場合のボールの飛びは、バックスピンがより少なく、したがって、ボールは、ひとたび着地すると、より遠くへ転がる傾向にある。また、「ドロー」は、より低いボールの飛びを示す傾向にある。「ドロー」のこれらの局面（すなわち、より少ないバックスピン、より遠くまでのロールおよびより低いボールの飛び）は、ゴルファーによって打たれたときゴルフボールが移動する距離を増す傾向にある。したがって、ゴルフクラブヘッドボディの重心をヒールの近くに提供することは、ゴルフショットの距離を増すことができ、それが、「ロング」アイアンにおいて特に有用であることができる。
【００２０】
本開示のいくつかの他の局面にしたがって、インジケータは、「ショート」アイアンタイプゴルフクラブ（すなわち、相対的に高いロフト度を有するアイアン、たとえば9番アイアン、ウェッジなど）に配置されて、クラブヘッドボディのトウにより近いゴルフクラブヘッドボディの重心を提供し得る。そのような構成は、ホーゼルからゴルフクラブヘッドボディの重心までの距離を増す。重心がよりホーゼルから離れているため、ゴルファーは、ゴルフクラブヘッドボディをそれほど速く、または容易に回転させることができない（たとえば、開いたクラブフェース位置から閉じたクラブフェース位置まで）。したがって、ゴルフショットの安定性が高まる。したがって、そのような構成は、ゴルファーがゴルフボールに「フェード」弾道を付与するのを支援することができる。「フェード」とは、ボールが打たれた側に一致する方向にボールをカーブさせるゴルフショットである。たとえば、右利きのゴルファーの場合、ゴルフボールは「左から右」の弾道を示す。「フェード」の場合のボールの飛びは、バックスピンがより多く、したがって、ボールは、ひとたび着地すると、あまり転がらない傾向にある。また、「フェード」は、より高いボールの飛びを示す傾向にある。「フェード」のこれらの局面（すなわち、より多いバックスピン、より少ないロールおよびより高いボールの飛び）は、ボールの転がりを止める傾向にある。したがって、ゴルフクラブヘッドボディの重心をトウの近くに提供することは、ボールがグリーンに着地したとき、ゴルファーがボールの転がりを止めるのを支援することができ、それが、「ショート」アイアンにおいて特に有用であることができる。
【００２１】
本開示のいくつかの他の局面にしたがって、インジケータは、「ミドル」アイアンタイプゴルフクラブ（すなわち、相対的に中間的なロフト度を有するアイアン、たとえば5番アイアン）に配置されて、クラブヘッドボディのほぼ中心に近いゴルフクラブヘッドボディの重心を提供し得る。そのような構成は、ホーゼルからゴルフクラブヘッドボディの重心までの相対的に中間的な距離を作り出すことができる。重心がホーゼルから相対的に中間的な距離にある（たとえば、ゴルフクラブヘッドボディの中心に近い）ため、「ミドルアイアン」は、上記「ロング」および「ショート」アイアンそれぞれからのいくらかの特性（たとえば、より遠くまでの距離およびより良好なボール制御）を有するが、同じ程度には有しない。
【００２２】
本開示のさらなる局面は、たとえば上記タイプのゴルフクラブヘッドを含むアイアンタイプゴルフクラブ構造に関する。このようなアイアンタイプゴルフクラブ構造はさらに、クラブヘッドに取り付けられた（場合によっては、別個のホーゼル部材またはクラブヘッドおよび／またはシャフトの一つまたは複数の一部として提供されたホーゼル部材を介して）シャフト部材、シャフト部材に取り付けられたグリップまたはハンドル部材、さらなるウェイト部材、メダルなどの一つまたは複数を含んでもよい。
【００２３】
本開示のなおさらなる局面は、本開示の例のアイアンタイプゴルフクラブヘッドおよびアイアンタイプゴルフクラブ構造を製造する方法に関する。このような方法は、たとえば、以下の工程、すなわち（a）上記様々なタイプのゴルフクラブヘッドボディ（上記様々な構造、特徴および／または配設のいずれかまたはすべてを含む）を、たとえばゴルフクラブヘッドボディを製造または他のやり方で構築すること、それを第三者供給源から得ることなどによって提供する工程、（b）シャフト部材をゴルフクラブヘッドボディと係合させる工程、および（c）グリップ部材をシャフト部材と係合させる工程の、一つまたは複数を任意の所望の順序および／または組み合わせで含み得る。
【００２４】
上記で提供された本開示の様々な例示的局面の概説を提供したところで、以下、本開示のゴルフクラブおよびゴルフクラブヘッド構造の様々な具体例のより詳細な説明を提供する。
【００２５】
II. 本開示の例示的ゴルフクラブヘッド、ゴルフクラブ構造および方法の詳細な説明
以下の詳細な説明および添付図面が本開示の様々な例示的ゴルフクラブおよびゴルフクラブヘッド構造を説明する。同じ参照番号が一つより多い図面において見られる場合、その参照番号は、本明細書および図面において同じまたは類似パーツを指すために一貫して使用される。
【００２６】
以下、図1〜4に示す例示的ゴルフクラブ構造に関して本開示のアイアンタイプゴルフクラブヘッドおよびゴルフクラブ構造のより具体的な例および特徴を詳細に説明する。
【００２７】
図1は、本開示のアイアンタイプゴルフクラブ100および／またはゴルフクラブヘッドボディ102の例を大まかに示す。この例のゴルフクラブ構造100全体は、ゴルフクラブヘッドボディ102に加えて、ホーゼル領域104、ホーゼル領域104に受けられる、および／または挿入されるシャフト部材106ならびにシャフト部材106に取り付けられるグリップまたはハンドル部材（図示せず）を含む。場合によっては、望むならば、外部ホーゼル領域104をなくし、シャフト部材106をヘッド部材102に直接挿入する、および／または他のやり方で取り付けてもよい（たとえば、クラブヘッドボディ102の上部に提供された開口に通して、内部ホーゼル部材（たとえば、クラブヘッドボディ102によって画定された内部チャンバ内に提供された）に通して、など）。ホーゼル部材104は、クラブヘッド構造102の一部として一体に形成してもよく、または別個に形成し、それと係合させてもよい（たとえば、接着剤またはセメントによって、溶接、ろう付け、はんだ付けまたは他の融着技術によって、機械的コネクタなどによって）。本開示を逸脱することなく、従来のホーゼルおよびアイアンタイプクラブヘッド構造へのその組み込みを使用し得る。
【００２８】
本開示を逸脱することなく、シャフト部材106は、当技術分野において公知であり、かつ使用されている従来のやり方を含む任意の適当なまたは所望のやり方でクラブヘッドボディ102に受ける、それと係合させる、および／またはそれに取り付け得る。より具体的な例として、シャフト部材106は、ホーゼル部材104を介して、および／または直接、クラブヘッド構造102に、たとえば接着剤、セメント、溶接、はんだ付け、機械的コネクタ（たとえばねじ、保定要素など）によって、クラブヘッドボディ102中に延びるシャフト受けスリーブまたは要素を介してなど、クラブヘッドボディ102と係合させ得る。望むならば、シャフト106は、ヘッド上で容易なシャフト交換を可能にするために、機械的コネクタを使用して取り外し可能なやり方でヘッド102に接続してもよい。
【００２９】
シャフト部材106はまた、当技術分野において公知であり、かつ使用されている従来の材料を含む任意の適当なまたは所望の材料、たとえばグラファイト系材料、複合材または他の非金属材料、鋼材料（ステンレス鋼を含む）、アルミニウム材料、他の金属合金材料、ポリマー材料、種々の材料の組み合わせなどでできていてもよい。また、グリップまたはハンドル部材（図示せず）は、当技術分野において公知であり、かつ使用されている従来のやり方を含む任意の適当なまたは所望のやり方で、たとえば、接着剤またはセメントを使用して、溶接、はんだ付け、ろう付けなどによって、機械的コネクタ（たとえばねじ、保定要素など）を介してなど、シャフト部材106に取り付ける、それと係合させる、および／またはそれから延ばしてもよい。別の例として、望むならば、グリップまたはハンドル部材（図示せず）は、シャフト部材106と共に一体のワンピース構造として一体に形成し得る。さらには、本開示を逸脱することなく、任意の所望のグリップまたはハンドル部材材料、たとえばゴム材料、皮革材料、中に埋め込まれたコードまたは他の布材料を含むゴムまたは他の材料、ポリマー材料などを使用してもよい。
【００３０】
本開示を逸脱することなく、クラブヘッドボディ102そのものもまた、任意の適当なまたは所望のやり方で、および／または、任意の適当なまたは所望の材料から、たとえば当技術分野において公知であり、かつ使用されている従来の材料から、および／または従来のやり方で構築してもよい。たとえば、図1に示す例示的構造において、クラブヘッドボディ102は、打球面部材102a（打球面プレート102bとフレーム部材とがいっしょになって打球面部材102a全体を構成するように打球面部材102aと共に一体に形成された、またはフレーム部材に取り付けられた打球面プレート102bを含む）を含む。この図示される例のクラブヘッドボディ102はさらに、トップまたはクラウン部分102cおよびソール部分102dを含む。クラブヘッドボディ102および／またはその様々なパーツは、鍛造、鋳造、成形によって、および／または当技術分野において従来型であり、かつ公知である技術およびプロセスを含む他の技術およびプロセスを使用して製造し得る。
【００３１】
本開示を逸脱することなく、多種多様な全体的クラブヘッド構造が可能である。たとえば、望むならば、上記クラブヘッドボディ102の様々な個々のパーツのいくつかまたはすべては、接続される（たとえば、接着剤またはセメントによって、溶接、はんだ付け、ろう付けまたは他の融着技術によって、機械的コネクタなどによって）多数のピースでできていてもよい。様々なパーツ（たとえばトップ部分102c、ソール部分102dなど）は、当技術分野において従来から公知であり、かつ使用されている材料、たとえば軽金属材料を含む金属材料、複合材料、ポリマー材料などを含む任意の所望の材料および様々な材料の組み合わせでできていてもよい。
【００３２】
本開示を逸脱することなく、本開示の例のゴルフクラブヘッド構造102の寸法および／または他の特性は有意に異なっていてもよい。たとえば、たとえばアイアンタイプハイブリッドクラブ、ドライビングアイアン、0〜10番アイアン、ウェッジ（たとえばピッチングウェッジ、ロブウェッジ、ギャップウェッジ、サンドウェッジなど）、チッピングクラブなどを含む任意のアイアンタイプクラブヘッドを提供し得る。
【００３３】
図2A〜Eは、本開示の例のゴルフクラブおよびゴルフクラブヘッドボディに含めることができる例示的特徴および構造を示す。図2A〜Cに見られるように、ゴルフクラブヘッドボディ102は周囲ウェイト付け部材202を含み得る。図2A〜Cに示すように、周囲ウェイト付け部材202は、打球面102aから後方に、ゴルフクラブヘッドボディ102の周辺区域の少なくとも一部分に沿って延びている。
【００３４】
さらに、本開示の局面にしたがって、ゴルフクラブヘッドボディ102は、参照番号205によってシンボル的に指定されるゴルフクラブヘッドボディの重心を指示するインジケータ204を含み得る。たとえば、本開示のいくつかの局面にしたがって、インジケータ204は、ゴルフクラブヘッドボディ102の周囲ウェイト付け部材202の一部分であっても、または周囲ウェイト付け部材202に取り付けられる別個の要素（たとえば、周囲ウェイト付け部材と同じまたは異なる材料でできている）であっても、いずれでもよい。そのような構造において、インジケータ204は、少なくとも周囲ウェイト付け部材202の上部、下部または側部に沿って配置されてもよく、周囲ウェイト付け部材202の上部、下部または側部の少なくとも一つの実質的部分を形成し得る。図示される態様において、インジケータ204は、周囲ウェイト付け部材202からクラブヘッドボディ102の後方部分中のキャビティ206の中に延び、周囲ウェイト付け部材202と共に三つの接触点を有する。さらには、図示される態様において見られるように、インジケータは矢のような形である。矢は、クラブヘッドボディの重心205を指し、具体的には、本開示の少なくともいくつかの局面にしたがって、矢はゴルフクラブヘッドボディの重心205の正確な位置を指す。これは、ゴルファーが、セット中の各ゴルフクラブヘッドボディの重心位置を実際に見ることを可能にする（たとえば練習中）。したがって、ゴルファーは、ゴルフクラブを使用するとき（たとえばラウンド中）、セット中の各ゴルフクラブボディの重心が正しい（すなわち、正しい位置にある）ことを知る。上記インジケータが、ゴルフクラブを識別するために通常はクラブヘッドボディのソールに刻印されている番号または文字に加えて、正しいクラブが選択されたというさらなる確認を提供するため、これは、ゴルファーが特定のゴルフショットのためにゴルフバッグからクラブを選択する際に有用である。
【００３５】
当然、インジケータ204は、矢のような形である必要はなく、代わりに、インジケータ204の他の態様を用いてもよい。たとえば、矢の形のインジケータの代わりに、中実の三角形を使用してもよい。さらには、インジケータ204は、「尖っている」（たとえば三角形または矢の形である）必要はない。たとえば、インジケータ204は、カーブしている、アーチ形、円形、多平面状、段状などであってもよい。したがって、本開示を逸脱することなく、インジケータ204の具体的な構造は異なってもよいということが理解されよう。事実、インジケータ204は、構造を全く有しなくてもよい。たとえば、物理的構造の代わりに、色またはグラフィックス（たとえばキャラクタ）を用いてもよい。たとえば、クラブヘッドボディ102の重心を反映するために、色付きの点、矢じりなどがクラブヘッドボディ102に刻印または食刻されてもよい。したがって、インジケータ204は、特定のゴルフクラブヘッドボディ102の重心位置を反映する限り、本開示の範囲内であるとみなされることが理解されよう。
【００３６】
本開示のいくつかの局面にしたがって、各ゴルフクラブヘッドボディが異なる重心を有するゴルフクラブのセットにおいては、セット中の各特定のゴルフクラブヘッドボディの異なる重心位置を反映するために、各ゴルフクラブヘッドボディ102のインジケータ204は、異なるもの（たとえば異なる形状の要素）である、および／または異なるふうに配置され得る。たとえば、図2A〜Cは、そのようなゴルフクラブのセットのゴルフクラブヘッドボディを示す。図2Aは、「ロング」アイアン（たとえば3番アイアン）のゴルフクラブヘッドボディ102の例示的態様であり、図2Bは、「ミドル」アイアン（たとえば5番アイアン）のゴルフクラブヘッドボディ102の例示的態様であり、図2Cは、「ショート」アイアン（たとえば9番アイアン）のゴルフクラブヘッドボディ102の例示的態様である。図2A、2Bおよび2Cを比較することによって見てとれるように、異なるゴルフクラブヘッドボディはそれぞれが異なる重心205を有し、さらに、インジケータ204は、異なるゴルフクラブヘッドボディそれぞれの重心205を反映するように配置されている。図2Dは、本開示のそのような態様のゴルフクラブのセットにおけるクラブヘッドボディの周辺のインジケータ位置の全体的漸変を概略的に示す。図2Dに見られるように、漸変は、2番アイアン（クラブヘッドボディのセットに対して低いロフト度を有するクラブヘッドボディの一つ）として開始し、このときインジケータ204はクラブヘッドボディ102のほぼヒール端に配置されている。漸変は、クラブヘッドボディ102の周辺を、ヒールからクラブヘッドボディ102の中央下部を通ってクラブヘッドボディ102のトウまで左回りに連続的に継続し、最後に、ピッチングウェッジ（クラブヘッドボディのセットに対して高いロフト度を有するクラブヘッドボディの一つ）として終了し、このときインジケータ204はクラブヘッドボディ102の上寄りトウ端に配置されている。このようにして、各ゴルフクラブヘッドボディのインジケータ204は、ゴルフクラブのセット中の各特定のゴルフクラブヘッドボディ102の様々な重心を反映する。当然、これは、本開示のゴルフクラブのセットの単に一つの態様であり、本開示のゴルフクラブの他のセットは、他のクラブ、たとえばサンドウェッジ、ロブウェッジ、ハイブリッドアイアンなどを含み得ることが留意される。
【００３７】
本開示を逸脱することなく、他の所望の漸変（たとえばトウからクラブヘッドボディのクラウンを巻いてヒールまで左回り）または配設を提供し得ることが留意される。また、インジケータ204の配設は、インジケータ204がクラブヘッドボディ102の周辺に配置されることを必ずしも要求しないことが留意される（たとえば、インジケータ204は完全にキャビティ206内にあってもよい）。したがって、本開示を逸脱することなく、インジケータ204は、ゴルフクラブのセットのゴルフクラブヘッドボディの中または周囲に多様な異なるやり方、向きなどで配置または配設されてもよいことが理解されよう。
【００３８】
本開示のいくつかの局面にしたがって、インジケータ204の配置は、クラブヘッドボディ102の重心位置を単に指示することに加えて、クラブヘッドボディ102の重心を変更する（たとえば移動させる）ために使用することもできる。たとえば、インジケータのウェイト付け特性（重量、密度など）により、クラブヘッドボディ102に対するインジケータ204の位置がゴルフクラブヘッドボディ102の重量を配分し直し（インジケータ204なしのゴルフクラブヘッドボディに比較して）、それにより、クラブヘッドボディの重心205を移動させる。したがって、インジケータ204は、クラブヘッドの重心205の特徴を制御するために選択的に配置されることができる。
【００３９】
たとえば、本開示のいくつかの局面にしたがって、インジケータ204は、周囲ウェイト付け部材202またはクラブヘッドボディ102の他の部分とは異なる重量、異なる密度、異なる重量配分および／または異なる他のウェイト付け特性を有し得る。たとえば、インジケータ204は、ゴルフクラブヘッドの他のパーツに比較して重くしてもよい（たとえば、計量された質量、たとえば鉛またはタングステン含有材料などをインジケータ204に含めることにより）。それにもかかわらず、本開示のいくつかの他の局面にしたがって、インジケータ204は、周囲ウェイト付け部材202またはゴルフクラブヘッド102の他の部分と同じウェイト付け特性（重量、密度など）を有してもよい。さらには、周囲ウェイト付け部材202の様々な区分または部分が、周囲ウェイト付け部材202の他の区分または部分とは異なる重量、異なる密度、異なる重量配分および／または異なる他のウェイト付け特性を有し得ることが留意される。たとえば、周囲ウェイト付け部材202のクラウン部分は周囲ウェイト付け部材202のソール部分よりも低密度であり得る。インジケータ204が周囲ウェイト付け部材202（または、少なくとも、周囲ウェイト付け部材202の部分）またはクラブヘッドボディ102の他の部分と同じウェイト付け特性を有するのか、異なるウェイト付け特性を有するのかにかかわらず、インジケータ204は、クラブヘッドの重心205の特徴を制御するために選択的に配置されることができる。さらには、インジケータ204の形状または厚さを変化させて、重量配分を望みどおりにセットすることができる。たとえば、インジケータの重量を望みどおりに配分するために、図示されるインジケータ204の矢じりまたはテールの構造を変更することができる。換言するならば、矢じりの一方の辺を矢じりの他方の辺よりも重くなるように形成して、それにより、クラブヘッドボディ102の重心を移動させ得る。代替的または追加的に、テールを短縮または伸長して、それにより、クラブヘッドボディ102の重心を移動させてもよい。
【００４０】
さらには、インジケータ204をクラブヘッドボディ102の周辺を回って配置することにより（たとえば図2Dに示すように）、クラブヘッドボディの重心を垂直方向および水平方向の両方に調節してもよい。たとえば、上述したように、図2A〜Cは、ゴルフクラブヘッドボディのインジケータ204のいくつかの異なる配設の場合の重心205の異なる位置を示す。図2Aに示す配設において、インジケータ204は、ほぼ、クラブヘッドボディ102のヒール端からキャビティ206の方向に延びている。したがって、この配設の重心205は、よりクラブヘッドボディのヒールにより近い（たとえば、トウよりもヒールに近い）。対照的に、図2Cに示すように、インジケータ204は、ほぼ、クラブヘッドボディ102のトウ端からキャビティ206の方向に延びている。したがって、この配設の重心は、よりクラブヘッドボディ102のトウにより近い（たとえば、ヒールよりもトウに近い）。クラブヘッドボディの重心205のこれらの様々な位置が、ゴルフクラブによって打たれたゴルフボールの弾道および飛びに影響することができる。
【００４１】
したがって、図2Dに示す略図のゴルフクラブヘッドボディ中でインジケータ204（たとえばウェイト付けされたインジケータ）を配置することが、所望の特性を有するゴルフクラブのセットを作り出すことができることが理解されよう。たとえば、図2Aの構成は、ホーゼルから重心までの距離を減らす。したがって、そのようなゴルフクラブのセットの「ロング」アイアンは、重心がホーゼルに近いクラブヘッドボディを有する。したがって、上述したように、そのような「ロング」アイアンは、ゴルファーがゴルフボールに「ドロー」弾道を付与するのを支援することができ、したがって、「ドロー」ショットの特性（すなわち、より少ないスピン、より遠くまでのロールおよびより低いボールの飛び）を提供し、それが、ゴルファーによって打たれたときゴルフボールが移動する距離を増す傾向を示す。逆に、図2Cの構成は、ホーゼルから重心205までの距離を増す。したがって、そのようなゴルフクラブのセットの「ショート」アイアンは、重心205がトウに近いクラブヘッドボディを有する。したがって、上述したように、そのような「ショート」アイアンは、ゴルファーがゴルフボールに「フェード」弾道を付与するのを支援することができ、したがって、「フェード」ショットの特性（すなわち、より多いスピン、より少ないロールおよびより高いボールの飛び）を提供し、それが、高められたボール制御を提供する（たとえば、グリーン上でボールを止める）傾向を示す。
【００４２】
本開示のゴルフクラブヘッドのウェイト付け特徴は、ゴルフクラブの重心の水平位置（ゴルフクラブがボールアドレス位置で向けられる水平位置）を制御することに限定されない。それどころか、望むならば、本開示のゴルフクラブヘッド構造の少なくともいくつかの例においては、垂直方向の重心もまた選択的に制御し得る。クラブヘッドのクラウン区域における重量を増すと（たとえば、ウェイト付けされたインジケータをよりクラウンの近くに提供することによって）、ゴルフクラブヘッドにおいてより高い重心が生じ、それが、たとえば強風条件におけるプレーの場合、より風を切り裂く(boring)ようなボール弾道を提供して、より「ランニング」なショットを提供したり、および／または通常は過度に高く上がる飛びを生じさせるスイング欠点を補正することに役立ったりすることができる。逆に、クラブヘッドのソール区域における重量を増すと（たとえば、ウェイト付けされたインジケータをよりソールの近くに提供することによって）、ゴルフクラブヘッドにおいてより高い重心が生じ、それが、より浮き上がるゴルフボール弾道を提供して、それが、ゴルファーがボールを空中に浮かせることに役立つ。
【００４３】
本開示のいくつかの局面にしたがって、インジケータ204は、ゴルフクラブヘッドボディ102のフェースから隔たってかつ離して配置されることもできる。たとえば、インジケータ204は、ゴルフクラブヘッドボディ102のヒール、トウ、ソールまたはクラウンから吊ってもよい。図2Eは、インジケータ204がゴルフクラブヘッドボディ102のソールから吊られ、したがって、ゴルフクラブヘッドボディ102のフェースの後面から離して配置される本開示の例示的態様の断面図を示す。インジケータ204をゴルフクラブヘッドボディ102のフェースから離して配置することにより、ゴルフクラブヘッドボディ102の重心を移動させてゴルフクラブヘッドボディ102のフェースから離すことができる。そのような態様において、インジケータ204は、重心よりも上の空間中の点を指すことによって重心を指示するということが理解されよう。しかし、図2A〜Cに見られるような角度からまっすぐに見ると、インジケータは実際に重心を指す。当然、本開示のいくつかの局面にしたがって、インジケータ204は、クラブヘッドボディ102の後面に向かう方向またはそれから離れる方向に傾いていることもできる。
【００４４】
したがって、ゴルフクラブヘッドボディ102に対するインジケータ204の選択的配置がゴルフクラブヘッドの重心に影響するということが理解され得る。このようにして、インジケータ部分204がゴルフクラブヘッドボディ102の周囲の特定の位置に配置されると、インジケータ204は、ゴルフクラブヘッドボディ102の重量配分を変化させて、クラブヘッドボディの重心205を所望の位置に移動させる。さらには、本開示の局面にしたがって、インジケータ204は、ゴルフクラブヘッドボディの正確な重心位置を指示することができ、また、望むならば、クラブヘッドボディの重心205を所望の位置に移動させるために、ゴルフクラブヘッドボディ102の重量を移動するように選択的に配置されることもできるということが理解され得る。
【００４５】
上述したように、本開示の真意を逸脱することなく、インジケータは多種多様な形態をとり得る。本開示のいくつかの局面にしたがって、インジケータは、いっしょになってインジケータを構成する一つまたは複数のインジケータ部分を含んでもよい。たとえば、第一のインジケータ部分は、ほぼクラウンからソールまで延びるブリッジ部材であってもよく、第二のインジケータ部分は、ほぼヒールからトウまで延びるブリッジ部材であってもよい。さらには、第一および第二のインジケータ部分が互いに重なる、または「交差する」点がクラブヘッドボディの重心を指示する。
【００４６】
図3A〜Cは、本開示のゴルフクラブおよびゴルフクラブヘッドボディに含め得るそのような例示的構造を示す。図3A〜Cに見られるように、各ゴルフクラブヘッドボディ102は、周囲ウェイト付け部材302（上記の周囲ウェイト付け部材に類似）ならびに二つのインジケータ部分304aおよび304bを含むインジケータ304を含む。本開示のいくつかの局面にしたがって、インジケータ部分304aおよび304bは、ゴルフクラブヘッドボディ102の周囲ウェイト付け部材302の部分、または周囲ウェイト付け部材302に取り付けられた別個の要素（たとえば、周囲ウェイト付け部材と同じまたは異なる材料でできている）のいずれかであり得る。そのような構造において、インジケータ部分304aおよび304bは、少なくとも周囲ウェイト付け部材302の上部、下部または側部に沿って配置されてもよく、周囲ウェイト付け部材302の上部、下部または側部の少なくとも一つの実質部分を形成してもよい。
【００４７】
図示される態様において、第一のインジケータ部分304aは、クラブヘッドボディ102のキャビティ306上を周囲ウェイト付け部材302の上部から周囲ウェイト付け部材302の下部まで延びるブリッジ部材であり、第二のインジケータ部分304aは、キャビティ306上を周囲ウェイト付け部材302のヒール側部分から周囲ウェイト付け部材302のトウ側部分まで延びるブリッジ部材である。インジケータ部分であるブリッジ部材304aおよび304bが交差する点が、参照番号305でシンボル的に指定されるクラブヘッドボディの重心を指示する。図示される態様においては、第二のインジケータ部分であるブリッジ部材304bが、第一のインジケータ部分であるブリッジ部材304aの上に配置されているが、望むならば、これを逆にしてもよい。
【００４８】
前記態様に関して上述したように、本開示のいくつかの局面にしたがって、各ゴルフクラブヘッドボディが異なる重心を有するゴルフクラブのセットにおいては、セット中の各特定のゴルフクラブヘッドボディの異なる重心位置を反映するために、各ゴルフクラブヘッドボディ102のインジケータは、異なるもの（たとえば異なる形状の要素）である、および／または異なるふうに配置され得る。図3A〜Cは、そのようなゴルフクラブのセットのゴルフクラブヘッドボディを示す。図3Aは、「ロング」アイアン（たとえば3番アイアン）のゴルフクラブヘッドボディ102の例示的態様であり、図3Bは、「ミドル」アイアン（たとえば5番アイアン）のゴルフクラブヘッドボディ102の例示的態様であり、図3Cは、「ショート」アイアン（たとえば9番アイアン）のゴルフクラブヘッドボディ102の例示的態様である。図3A、3Bおよび3Cを比較することによって見てとれるように、異なるゴルフクラブヘッドボディはそれぞれが異なる重心305を有し、さらに、インジケータ304は、異なるゴルフクラブヘッドボディそれぞれの重心305を反映するように配置されている。
【００４９】
図3A、3Bおよび3Cを比較することによって見てとれるように、図示される態様にしたがって、クラブヘッドボディ102の重心305の漸変は、「ロング」アイアンにおける下寄りヒールから「ショート」アイアンにおける上寄りトウまでほぼ連続的に移動する。たとえば、第一のインジケータ部分304aは、「ロング」アイアンにおけるヒール端から「ショート」アイアンにおけるトウ端まで移動する（見てとれるように、第二のインジケータ部分304bも同様に移動することができる）。このようにして、各ゴルフクラブヘッドボディ102のインジケータ部分304aおよび304bの交差が、各特定のゴルフクラブヘッドボディ102の異なる重心を反映する。しかし、前記態様に関して上述したように、これは、本開示の単に一つの態様であり、本開示を逸脱することなく、他の所望の漸変もしくは配設またはインジケータを提供してもよい（たとえば、第一のインジケータ部分であるブリッジ部材304aが反対方向に（すなわち、「ロング」アイアンにおけるトウ端から「ショート」アイアンにおけるヒール端まで）移動してもよい）。したがって、本開示を逸脱することなく、インジケータ部分304aおよび304bは、ゴルフクラブのセットのゴルフクラブヘッドボディの中または周囲に多様な異なるやり方、向きなどで配置または配設されてもよいことが理解されよう。
【００５０】
前記態様に関して上述したように、本開示のいくつかの局面にしたがって、インジケータ304の配置は、クラブヘッドボディ102の重心位置を単に指示することに加えて、クラブヘッドボディ102の重心を変更する（たとえば移動させる）ために使用することもできる。たとえば、インジケータ部分のウェイト付け特性（重量、密度など）により、クラブヘッドボディ102に対するインジケータ部分304aおよび304bの位置がゴルフクラブヘッドボディ102の重量を配分し直し（インジケータ304なしのゴルフクラブヘッドボディに比較して）、それにより、クラブヘッドボディの重心305を移動させる。したがって、インジケータ部分304aおよび304bは、クラブヘッドの重心305の特徴を制御するために選択的に配置されることができる。
【００５１】
たとえば、前記態様と同様に、本開示のいくつかの局面にしたがって、インジケータ部分304aおよび304bは、周囲ウェイト付け部材302またはクラブヘッドボディ102の他の部分、たとえば他のインジケータ部分と同じまたは異なるウェイト付け特性（重量、密度など）を有することができる。さらには、インジケータ部分304aおよび304bの形状または厚さを変化させて、重量配分を望みどおりに変更することができる。たとえば、インジケータ部分304aおよび304bは、所望の重量配分を達成するために、一端が相対的に厚く、他端が比較的薄いものであってもよい。
【００５２】
さらには、本開示のいくつかの局面にしたがって、第一および第二のインジケータ部分304aおよび304bのいずれかまたは両方を、水平方向（すなわちヒール−トウ方向）および／または垂直方向（すなわちクラウン−ソール方向）のいずれかまたは両方に移動させて、特定のクラブヘッドボディ102の所望の重心305を提供することができる。たとえば、図3Aおよび3Cを比較することにより、インジケータ部分304aおよび304bの異なる位置がクラブヘッドボディ102の重心305を変化させたということが見てとれる。クラブヘッドボディの重心305のこれら異なる位置が、ゴルフクラブによって打たれたゴルフボールの弾道および飛びに影響することができる。たとえば、図3Aの構成はホーゼルから重心までの距離を減らすため、これは、ゴルファーがドローバイアスのかかったゴルフボール弾道を生じさせるのを支援することができる。逆に、図3Cの構成はホーゼルから重心までの距離を増すため、これは、ゴルファーがフェードバイアスのかかったゴルフボール弾道を生じさせるのを支援することができる。
【００５３】
したがって、図示される態様のゴルフクラブヘッドボディ中でインジケータ部分304aおよび304bを配置することが、ゴルファーがゴルフボールに「ドロー」弾道を付与するのを支援することができ、したがって、「ドロー」ショットの特性（すなわち、より少ないスピン、より遠くまでのロールおよびより低いボールの飛び）を提供し、それが、ゴルファーによって打たれたときゴルフボールが移動する距離を増す傾向を示す「ロング」アイアンを有するゴルフクラブのセットを作り出すことができることが理解されよう。逆に、そのようなゴルフクラブのセットの「ショート」アイアンは、ゴルファーがゴルフボールに「フェード」弾道を付与するのを支援することができ、したがって、「フェード」ショットの特性（すなわち、より多いスピン、より少ないロールおよびより高いボールの飛び）を提供し、それが、高められたボール制御を提供する（たとえば、グリーン上でボールを止める）傾向を示す。
【００５４】
本開示のいくつかの局面にしたがって、インジケータ304は、ゴルフクラブヘッドボディ102のフェースから離して配置されることもできる。たとえば、インジケータ部分304aおよび304bは、ゴルフクラブヘッドボディ102のヒール、トウ、ソールまたはクラウンから吊ってもよい。図3Dは、インジケータ部分であるブリッジ部材304aがゴルフクラブヘッドボディ102のクラウンおよびソールから吊られ、したがって、ゴルフクラブヘッドボディ102のフェースの後面から隔たってかつ離して配置されている本開示の例示的態様の断面図を示す。さらに、インジケータ部分であるブリッジ部材304bがゴルフクラブヘッドボディ102のヒールおよびトウ側から吊られ、したがって、ゴルフクラブヘッドボディ102のフェースから隔たってかつ離して配置されている。インジケータ部分であるブリッジ部材304aおよび304bをゴルフクラブヘッドボディ102のフェースから離して配置することにより、ゴルフクラブヘッドボディ102の重心305を移動させてゴルフクラブヘッドボディ102のフェースから離すことができる。
【００５５】
さらには、本開示のいくつかの局面にしたがって、第一および第二のインジケータ部分であるブリッジ部材304aおよび304bは、互いに接触しないように配置されることができる。換言するならば、別個の第一および第二のインジケータ部分であるブリッジ部材304aと304bとの間には隙間がある。たとえば、図3Dに見られるように、第一のインジケータ部分であるブリッジ部材304aは、キャビティ306の上かつ第二のインジケータ部分であるブリッジ部材304bの下に延びて、二つのインジケータ部分であるブリッジ部材304aおよび304bが互いに接触しないようになっている。したがって、二つのインジケータ部分は互いを支持しない。インジケータ部分304aおよび304bを互いに接触しないように配置することにより、ゴルフクラブヘッドボディ102の重心を移動させてゴルフクラブヘッドボディ102のフェースから離すことができる。
【００５６】
本開示を逸脱することなく、図示される態様に加えて、他の漸変または配設を提供することもできることが留意される。たとえば、インジケータ部分は、必ずしもクラウンからソールまたはヒールからトウまで延びる必要はない。代わりに、インジケータ部分は、他の方向、たとえばクラウンからヒールまでなどに延びることもできる。さらには、望むならば、二つより多いインジケータ部分があってもよい。さらには、インジケータ304は、二つの別個のインジケータ部分ではなく、単一のピースであってもよい。換言するならば、クラブヘッドの重心のそれぞれの位置を指示するために各クラブヘッドボディのインジケータを形成し得る方法は数多くあるが、インジケータが特定のゴルフクラブヘッドボディの重心位置を反映する限り、それは本開示の範囲内であるとみなされる。
【００５７】
上述したように、本開示の真意を逸脱することなく、インジケータは多種多様な形態をとり得る。本開示のいくつかの局面にしたがって、インジケータは、ゴルフクラブヘッドボディのキャビティの中または上にセットされるバックカバーまたはメダルを含んでもよい。バックカバーまたはメダルは、単一の要素であってもよく、あるいはバックカバーまたはメダル中に開口を提供するように配設される一つまたは複数のインジケータ部分を含んでもよい。バックカバーまたはメダル中の開口がクラブヘッドボディの重心を指示する。
【００５８】
図4A〜Cは、本開示のゴルフクラブおよびゴルフクラブヘッドボディに含め得るそのような例示的構造を示す。図4A〜Cに見られるように、各ゴルフクラブヘッドボディ102は、周囲ウェイト付け部材402（上記の周囲ウェイト付け部材に類似）ならびに三つのインジケータ部分404a、404b、404cおよび開口404dを含むインジケータ404を含む。本開示のいくつかの局面にしたがって、インジケータ部分404a〜cは、ゴルフクラブヘッドボディ102の周囲ウェイト付け部材402の部分、または周囲ウェイト付け部材402に取り付けられた別個の要素（たとえば、周囲ウェイト付け部材402と同じまたは異なる材料でできている）のいずれかであり得る。そのような構造において、インジケータ部分404a〜cは、少なくとも周囲ウェイト付け部材402の上部、下部または側部に沿って配置されてもよく、周囲ウェイト付け部材402の上部、下部または側部の少なくとも一つの実質部分を形成してもよい。
【００５９】
図示される態様において、インジケータ部分404a〜cは、インジケータ部分404a、404bおよび404cの間に配置された開口404dを提供するシャッタに似た配設において、周囲ウェイト付け部材402からクラブヘッドボディ102のキャビティ406上を延びている。このシャッタ配設において、インジケータ部分404a〜cは互いに接触または重なり合うことができる。たとえば、図示される態様において見られるように、インジケータ部分404a〜cは、それらの側面で互いに接触する。互いに接触することに加えて、インジケータ部分404a〜cは、多様な方法、たとえば溶接、ろう付け、はんだ付けまたは他の融着技術、機械的コネクタなどによって互いに取り付けられてもよい。または、インジケータ404は、適切に配置された開口404dを有する単一の一体ピースであってもよいことが留意される。開口404dは、参照番号405で指定されるクラブヘッドボディの重心をシンボル的に指示する。本開示のいくつかの局面にしたがって、後面（たとえばゴルフクラブヘッドボディ102のフェースの背面）は、ゴルファーが重心405をより容易に見ることができるよう、色を誇示してもよい。たとえば、ゴルフクラブヘッドボディ102のフェースの背面は、派手な色（たとえば赤、黄色、オレンジなど）に塗装されてもよい。
【００６０】
前記態様に関して上述したように、本開示のいくつかの局面にしたがって、各ゴルフクラブヘッドボディが異なる重心を有するゴルフクラブのセットにおいては、セット中の各特定のゴルフクラブヘッドボディの異なる重心位置を反映するために、各ゴルフクラブヘッドボディ102のインジケータは、異なるもの（たとえば異なる形状の要素）である、および／または異なるふうに配置され得る。図4A〜Cは、そのようなゴルフクラブのセットのゴルフクラブヘッドボディを示す。図4Aは、「ロング」アイアン（たとえば3番アイアン）のゴルフクラブヘッドボディ102の例示的態様であり、図4Bは、「ミドル」アイアン（たとえば5番アイアン）のゴルフクラブヘッドボディ102の例示的態様であり、図4Cは、「ショート」アイアン（たとえば9番アイアン）のゴルフクラブヘッドボディ102の例示的態様である。図4A、4Bおよび4Cを比較することによって見てとれるように、異なるゴルフクラブヘッドボディはそれぞれが異なる重心405を有し、さらに、インジケータ404a〜cは、異なるゴルフクラブヘッドボディそれぞれの重心405を反映するように配置されている。
【００６１】
図4A、4Bおよび4Cを比較することによって見てとれるように、図示される態様にしたがって、クラブヘッドボディ102の重心405の漸変は、「ロング」アイアンにおける下寄りヒールから「ショート」アイアンにおける上寄りトウまでほぼ連続的に移動する。たとえば、インジケータ部分404a〜cは、「ロング」アイアンにおいては、ヒールの近くに開口404dを提供するように配置され、逆に、インジケータ部分404a〜cは、「ショート」アイアンにおいては、トウの近くに開口404dを提供するように配置される。また、インジケータ部分404a〜cは、「ミドルアイアン」の場合には、クラブヘッドボディ102の中心の近くに開口404dを提供するように配置される。このようにして、開口404dは、各特定のゴルフクラブヘッドボディ102の異なる重心405を反映する。しかし、前記態様に関して上述したように、これは、本開示の単に一つの態様であり、本開示を逸脱することなく、他の所望の漸変もしくは配設またはインジケータを提供してもよい（たとえば、本開示のいくつかの態様にしたがって、インジケータ部分404a〜cの漸変は、「ロング」アイアンにおけるトウ端から「ショート」アイアンにおけるヒール端まで開口404dを提供してもよい）。同様に、図示される態様は、第一のインジケータ部分404aを、「ロング」アイアンにおいては最小のインジケータ部分として示し（図4Aを参照）、「ショート」アイアンにおいては最大のインジケータ部分として示し（図4Cを参照）、および「ミドル」アイアンにおいては他のインジケータ部分にほぼ等しいサイズのインジケータ部分として示すが（図4Bを参照）、他の異なる配設を使用してもよい。したがって、開口404dが各特定のゴルフクラブヘッドボディ102の正しい重心を反映する限り、本開示を逸脱することなく、インジケータ部分404a〜cは、ゴルフクラブのセットのゴルフクラブヘッドボディの中または周囲に多様な異なるやり方、向きなどで配置され得ることが理解されよう。
【００６２】
前記態様に関して上述したように、本開示のいくつかの局面にしたがって、インジケータ部分404a〜cの配置は、クラブヘッドボディ102の重心405の位置を単に指示することに加えて、クラブヘッドボディ102の重心を変更する（たとえば移動させる）ために使用することもできる。たとえば、インジケータ部分404a〜cのウェイト付け特性（重量、密度など）により、クラブヘッドボディ102に対するインジケータ部分404a〜cの位置がゴルフクラブヘッドボディ102の重量を配分し直し（インジケータ404なしのゴルフクラブヘッドボディに比較して）、それにより、クラブヘッドボディ102の重心405を移動させる。したがって、インジケータ部分404a〜cは、クラブヘッドボディ102の重心405の特徴を制御するために選択的に配置されることができる。
【００６３】
たとえば、前記態様と同様に、本開示のいくつかの局面にしたがって、インジケータ部分404a〜cは、周囲ウェイト付け部材402またはクラブヘッドボディ102の他の部分、たとえば他のインジケータ部分と同じまたは異なるウェイト付け特性（重量、密度など）を有してもよい。たとえば、インジケータ部分404a〜cの形状または厚さを変化させて、重量配分を望みどおりにセットすることができる。さらには、本開示のいくつかの局面にしたがって、インジケータ部分404a〜cのいずれかまたはすべてを、より大きくまたはより小さくする、および／またはより重くまたはより軽くする、および／または水平方向（すなわちヒール−トウ方向）および／または垂直方向（すなわちクラウン方向）または他の方向（たとえば斜めなど）のいずれかに配設するかして、特定のクラブヘッドボディ102の所望の重心405を提供することができる。たとえば、図4Aおよび4Cを比較することにより、インジケータ部分404a〜cの異なる位置がクラブヘッドボディ102の重心405（開口404dによって示される）を変化させたということが見てとれる。本開示の一つの態様にしたがって、図4Aに示す「ロング」アイアンにおいて、インジケータ部分404aは他のインジケータ部分404bおよび404cよりも重く、したがって、他のインジケータ部分404bおよび404cによりも小さいにもかかわらず、インジケータ部分404aは、開口404dによって反映されるように、重心405をヒール方向に移動させる。逆に、図4Cに示す「ショート」アイアンにおいて、インジケータ部分404aは他のインジケータ部分404bおよび404cよりも軽く、したがって、他のインジケータ部分404bおよび404cよりも大きいにもかかわらず、インジケータ部分404aは、開口404dによって反映されるように、重心405がトウ方向に移動されるようにする。
【００６４】
クラブヘッドボディのこれらの異なる重心位置が、ゴルフクラブによって打たれたゴルフボールの弾道および飛びに影響することができる。たとえば、図4Aの構成はホーゼルから重心までの距離を減らすため、これは、ゴルファーがドローバイアスのかかったゴルフボール弾道を生じさせるのを支援することができる。逆に、図4Bの構成はホーゼルから重心までの距離を増すため、これは、ゴルファーがフェードバイアスのかかったゴルフボール弾道を生じさせるのを支援することができる。
【００６５】
したがって、図示される態様のゴルフクラブヘッドボディ中でインジケータ部分404a〜cを配置することが、ゴルファーがゴルフボールに「ドロー」弾道を付与するのを支援することができ、したがって、「ドロー」ショットの特性（すなわち、より少ないスピン、より遠くまでのロールおよびより低いボールの飛び）を提供し、それが、ゴルファーによって打たれたときゴルフボールが移動する距離を増す傾向を示す「ロング」アイアンを有するゴルフクラブのセットを作り出すことができることが理解されよう。逆に、そのようなゴルフクラブのセットの「ショート」アイアンは、ゴルファーがゴルフボールに「フェード」弾道を付与するのを支援することができ、したがって、「フェード」ショットの特性（すなわち、より多いスピン、より少ないロールおよびより高いボールの飛び）を提供し、それが、高められたボール制御を提供する（たとえば、グリーン上でボールを止める）傾向を示す。
【００６６】
本開示のいくつかの局面にしたがって、インジケータ404は、ゴルフクラブヘッドボディ102のフェースから離して配置されることもできる。たとえば、インジケータ部分404a〜cは、ゴルフクラブヘッドボディ102のヒール、トウ、ソールまたはクラウンから吊られ、したがって、ゴルフクラブヘッドボディ102のフェースの後面から隔たってかつ離して配置されてもよい。インジケータ404をゴルフクラブヘッドボディ102のフェースから離して配置することにより、ゴルフクラブヘッドボディ102の重心を移動させてゴルフクラブヘッドボディ102のフェースから離すことができる。
【００６７】
たとえばアイアンタイプハイブリッドクラブ、ドライビングアイアン、0〜10番アイアン、ウェッジ（たとえば44〜68度のロフトを有するアイアンタイプクラブ、たとえばピッチングウェッジ、ロブウェッジ、サンドウェッジ、ギャップウェッジなど）、チッピングクラブなどを含む任意のタイプのアイアンタイプゴルフクラブヘッド構造が上記タイプのインジケータ（たとえば204、304a〜b、404a〜cなど）を含み得る。望むならば、本開示の少なくともいくつかの例にしたがって、本開示の例のゴルフクラブおよび／またはゴルフクラブヘッドは、複数のアイアンを含むセット、たとえばアイアンタイプハイブリッドクラブ、ドライビングアイアン、0〜10番アイアン、ピッチングウェッジ、ロブウェッジ、サンドウェッジ、ギャップウェッジ、および／またはチッピングクラブの二本またはそれ以上を有するセットとして販売または市場売買し得る。セット中に存在する場合、そのセット中のクラブの任意の所望の数が、本開示のインジケータを有するクラブヘッドを有し得る。いくつかのより具体的な例において、本開示のゴルフクラブのセットは少なくとも3〜9番アイアンおよびピッチングウェッジを含んでもよく、これらのアイアンの少なくとも二本（いくつかの例においては、これらのアイアンのすべて）が、本開示の例のインジケータを有するクラブヘッドを有する。別の例として、本開示のゴルフクラブのセットは、少なくとも4〜9番アイアン（または5〜9番アイアンまたは6〜9番アイアン）およびピッチングウェッジならびに場合によってはサンドウェッジおよび／または一本または複数のアイアンタイプハイブリッドクラブを含み、これらのクラブの少なくとも二本（いくつかの例においては、これらのクラブのすべて）が、本開示の例のインジケータを有するクラブヘッドを有する。
【００６８】
本開示の例のインジケータを含むアイアンタイプゴルフクラブヘッドは、図1〜4に示すタイプの周囲ウェイト付けおよび／またはキャビティバックタイプのクラブとの使用に限定されない。それどころか、望むならば、本開示を逸脱することなく、インジケータは、ブレードタイプアイアンクラブまたは他のアイアンタイプゴルフクラブヘッド構造にも（たとえば類似した位置および／または配設において）提供され得る。ブレードタイプクラブにおいて、インジケータは、周囲ウェイト部材の部分を形成するのではなく、クラブ背面の上寄り後方部分、クラブ背面の後方部分の下寄り後方部分、クラブソールなどの少なくとも一つに配置されてもよい。
【００６９】
さらには、たとえば、インジケータは、ゴルフクラブヘッドボディの重心を指示するものとして上述されたが、インジケータは、ゴルフクラブヘッドの他の特徴（たとえば「スイートスポット」など）を指示し得ることが留意される。最後に、上記で詳述した特定のインジケータは、本開示にしたがって使用し得るインジケータの単なる例であり、網羅的なリストを構成することを意図したものではないことが留意される。それどころか、これらの説明的な例は、単に、本開示のより良い理解を読者に提供することを意図したものである。
【００７０】
III. 結び
本開示を、添付図面において、多様な例示的構造、特徴、要素ならびに構造、特徴および要素の組み合わせを参照して説明している。しかし、本開示によって果たされる目的は、本開示の範囲を限定することではなく、本開示に関連する様々な特徴および概念の例を提供することである。当業者は、請求の範囲によって画定される本開示の範囲を逸脱することなく、上記態様に対して数多くの変形および改変を加えることができることを理解するであろう。たとえば、本開示を逸脱することなく、図1〜4に関連して上記した様々な特徴および概念を個々におよび／または任意の組み合わせで使用し得る。
【図１】
0005525597.tif 000002
【図２Ａ】
0005525597.tif 000003
【図２Ｂ】
0005525597.tif 000004
【図２Ｃ】
0005525597.tif 000005
【図２Ｄ】
0005525597.tif 000006
【図２Ｅ】
0005525597.tif 000007
【図３Ａ】
0005525597.tif 000008
【図３Ｂ】
0005525597.tif 000009
【図３Ｃ】
0005525597.tif 000010
【図３Ｄ】
0005525597.tif 000011
【図４】
0005525597.tif 000012